(57)【要約】【課題】  低コストで作業効率を向上させるための弾器装置を提供する。【解決手段】  端子板又は保安機能を有した端子板に接続されたケーブルに接続される端子と、前記端子板又は保安機能を有した端子板の少なくとも１つの回線の弾器試験を行うための試験弾器手段とを有することにより上記課題を解決する。【選択図】  図１
2005136638.tif 000002
【特許請求の範囲】
【請求項１】
端子板又は保安機能を有した端子板に接続されたケーブルに接続される端子と、前記端子板又は保安機能を有した端子板の少なくとも１つの回線の弾器試験を行うための試験弾器手段とを有することを特徴とする弾器装置。
【請求項２】
前記端子は、ケーブルに接続するためのＵスリット端子であり、
前記試験弾器手段は、遠隔操作用プラグやテストプラグ等のプラグ類、又は断線ペグ等のペグ類を挿入するための機構を有することを特徴とする請求項１に記載の弾器装置。
【請求項３】
複数の端子からなる端子用ハウジングと、前記端子にケーブルを通線する通線口ユニットとを有する端子板又は保安機能を有した端子板に、請求項１又は２に記載の弾器装置を接続するための接続方法において、
前記通線口から挿入され前記端子に接続されているケーブルを、前記端子用ハウジング側に引き伸ばし、引き伸ばして形成された前記ケーブルの余長部分に前記弾器装置を接続することを特徴とする接続方法。
【発明の詳細な説明】
【技術分野】
【０００１】
本発明は、弾器装置及びその接続方法に関し、特に、電話局内における端子板又は保安機能を有した端子板の弾器の有無に関係なく、端子板又は保安器機能を有した端子板に接続される弾器機能を容易に取り付けることができ、部品の共用化、取り付け作業に伴う人件費等におけるコストダウンを実現するための弾器装置及びその接続方法に関する。
【背景技術】
【０００２】
従来、電話やコンピュータ等、通信機能を有する機器間の通信回線（電線）を中継、又は分岐するための機器として端子板又は保安機能を有した保安器サブモジュールが用いられている。特に、電話局等においては、膨大な数の回線や端子を管理する必要があるため、加入者ケーブルを交換機に直接接続せずに、所定の地域や建物毎に設けられた端子板又は試験弾器機能を有した端子板に収容し管理している。また、通信回線から侵入してくる過電圧・過電流が通信機器に流入することを防止するために、電話局内等に通信機器用の保安器が設置されている。この保安器は、保安器サブモジュールを多段積みにして組立てたものである。
【０００３】
ところで、上述の保安器や交換機における更改作業、あるいは保安器や交換機に布設されている回線の入替え作業等で、回線の分岐、分断、接続等により回線を試験して、回線状態が正しいものかどうか電気的な導通チェックによる試験確認が必要となる。そのため、保安器（交換機）等と線路の間にスイッチ機能を有する弾器ユニットを具えた試験弾器を付設している。
【０００４】
ここで、一般的な試験弾器ユニットの構成としては、試験用プラグや断線ペグ等を挿入することで、接点を開いて通信回線の切り離しを行ったり、通信回線を分断せずに信号の取り出しを行うことで、弾器試験を行う。また、遠隔操作プラグ等を挿入することで、接点部分を電気的に接続／非接続状態にするように遠隔操作（リモートコントロール）することで実現することができる。
【０００５】
つまり、端子板又は保安機能を有した端子板やその他の各種通信装置を変更したり、接続した回線を入れ替えたりする場合、回路が正常かどうかのチェックを行う必要があり、その操作は上述したような弾器ユニット内に試験用プラグや断線ペグ等を挿入し、加入者側と交換機側とを切り離したり、弾器の接点部を介して信号を取り出したり、又は信号を入力したりして各種チェックを行っている。
【０００６】
ここで、既に周知の技術として試験弾器機能を保安器サブモジュール内に付設させていたり（例えば、特許文献１参照。）、サブモジュールに付設されてなくてもサブモジュールに直接接続することが可能な構成を有しているものがある（例えば、特許文献２参照。）。
【０００７】
また、線路の切り替え、あるいは局側通信装置の変更の場合、一時的に迂回回路を形成することを可能にするため、回線の接続部には２つの端子が設けられている。これにより、例えば、現用交換機（保安器）から新交換機（保安器）等に変更するような場合、現運用中の通信が停止することなく、新交換機（保安器）への切り替えが可能となる。つまり、上述の切り替え作業を実現するために、現用試験弾器の他に変更用として新たに試験弾器を付設して、その弾器部に予め断線ペグを挿入しておき、互いのＵスリット端子同士をマルチ接続しておく。次に、切り替え工事が完了した時点で変更用試験弾器の弾器部に挿着してある断線ペグを抜き取って新設の通信装置に切り替えて作業が終了する。
【０００８】
また、端子板又は保安機能を有した端子板の使用目的によっては弾器機能が必要ない場合がある。例えば、ＡＤＳＬ（Ａｓｙｍｍｅｔｒｉｃ  Ｄｉｇｉｔａｌ  Ｓｕｂｓｃｒｉｂｅｒ  Ｌｉｎｅ）網を接続する保安器であれば、弾器機能は必要ないため、弾器機能を保安器から取り除くことで、保安器の装置コストの削減と小型化、高密度化を図っている。
【特許文献１】特開２００３−２１９４３８号公報
【特許文献２】特開２０００−３３１５７２号公報
【発明の開示】
【発明が解決しようとする課題】
【０００９】
しかしながら、例えば、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線からＡＤＳＬ回線に回線が切り替わる場合において、端子板又は保安機能を有した端子板に弾器機能がない場合には、その保安器の設置場所まで作業員が赴いて、弾器機能の敷設を行う必要がある。また、上述のＩＳＤＮ回線からＡＤＳＬ回線へ切替えを行う場合において、回線を使用するユーザの都合によっては切替え実施の曜日や時間が異なる場合があり変則的な作業スケジュールを強いられ、加えて切替えの工事場所が都市の遠隔地であれば人件費等のコストアップにつながる。
【００１０】
そのため、保安器に弾器機能が有しているか否かに関わらず、容易に弾器ユニットを設置できることが望ましい。また遠隔操作により回線の接触／非接触を切り替えることができる遠隔操作型の弾器機能を設置することができれば、回線が切り替わる度に現場に行って切り替えをしなくとも、上述した遠隔操作により切り替えが可能となり、作業員の作業効率を向上させ、人件費も削減することができる。更に、上述の機能を備えた弾器ユニットは、コネクタタイプであることが望ましい。コネクタタイプにすることにより、容易に使い回しができ、また、端子板又は保安機能を有した端子板の１回線単位で弾器機能の設置が可能となる。
【００１１】
本発明は、上記の点に鑑みてなされたものであって、端子板又は保安機能を有した端子板に対する弾器の有無に関わらずに、必要な回線に弾器機能を付加することができ、更にその都度現場に行って切り替え作業を行わなくても弾器機能を切り替えることができ、低コストで作業効率を向上させるための弾器装置及びその接続方法を提供することを目的とする。
【課題を解決するための手段】
【００１２】
上記課題を解決するために、本件発明は、以下の特徴を有する課題を解決するための手段を採用している。
【００１３】
請求項１に記載された発明は、端子板又は保安機能を有した端子板に接続されたケーブルに接続される端子と、前記端子板又は保安機能を有した端子板の少なくとも１つの回線の弾器試験を行うための試験弾器手段とを有することを特徴とする。
【００１４】
請求項１記載の発明によれば、端子板又は保安機能を有した端子板に対する弾器の有無に関わらずに、必要な回線に弾器機能を付加することができ、弾器機能の要、不要に柔軟に対応でき、部品の共用化、コストダウン、取り付け工事の簡略化を図ることができる。また、１回線単位で弾器機能を設置することができるため、必要最小限の弾器装置に対応づけて使用することで、装置コストも削減することができる。
【００１５】
請求項２に記載された発明は、前記端子は、ケーブルに接続するためのＵスリット端子であり、前記試験弾器手段は、遠隔操作用プラグやテストプラグ等のプラグ類、又は断線ペグ等のペグ類を挿入するための機構を有することを特徴とする。
【００１６】
請求項２記載の発明によれば、Ｕスリット端子を有することにより、回線への接続を容易に行うことができる。更に、遠隔操作用プラグやテストプラグ等のプラグ類、又は断線ペグ等のペグ類を挿入するための機構を有することにより、容易に取り付けることができ、作業効率を向上させることができる。これにより、端子板又は保安機能を有した端子板に対する弾器の有無に関わらずに、必要な回線に弾器機能を付加することができ、弾器機能の要、不要に柔軟に対応でき、部品の共用化、コストダウン、取り付け工事の簡略化を図ることができる。また、１回線単位で弾器機能を設置することができるため、必要最小限の弾器装置に対応づけて使用することで、装置コストも削減することができる。
【００１７】
請求項３に記載された発明は、複数の端子からなる端子用ハウジングと、前記端子にケーブルを通線する通線口ユニットとを有する端子板又は保安機能を有した端子板に、請求項１又は２に記載の弾器装置を接続するための接続方法において、前記通線口から挿入され前記端子に接続されているケーブルを、前記端子用ハウジング側に引き伸ばし、引き伸ばして形成された前記ケーブルの余長部分に前記弾器装置を接続することを特徴とする。
【００１８】
請求項３記載の発明によれば、端子板又は保安機能を有した端子板に対する弾器の有無に関わらずに、必要な回線に弾器機能を付加することができ、弾器機能の要、不要に柔軟に対応でき、部品の共用化、コストダウン、取り付け工事の簡略化を図ることができる。また、１回線単位で弾器機能を設置することができるため、必要最小限の弾器装置に対応づけて使用することで、装置コストも削減することができる。
【発明の効果】
【００１９】
本発明によれば、端子板又は保安機能を有した端子板に対する弾器の有無に関わらずに、必要な回線に弾器機能を付加することができ、弾器機能の要、不要に柔軟に対応でき、部品の共用化、コストダウン、取り付け工事の簡略化を図ることができる。また、弾器機能は、１回線単位であるため、必要な回線のみに適用可能であり、必要に応じて最小限の複数の弾器装置に対応づけて使用することで装置コストも削減することができる。
【発明を実施するための最良の形態】
【００２０】
次に、本発明における実施の形態について図を用いて説明する。
【００２１】
＜弾器装置の構成＞
図１は、本発明における弾器装置の一構成例を示す図である。ここで、本実施例に示す弾器装置は、１回線用の弾器試験を行うための弾器機能を有するコネクタであるが、本発明において弾器装置が弾器試験を行うための回線数についてはこの限りではなく、例えば、以下に示す１回線用の弾器装置と同様の構成を、弾器試験が必要な回線に対して並列に繋げたコネクタを形成することにより、複数回線に弾器機能を設けることができる。
【００２２】
図１において弾器装置１０は、ケース１１と、テストスプリング（ＴＳ）バネ１２と、ＴＳベース１３と、ＴＳ基板１４と、Ｕスリット端子１５とを有するよう構成されている。
【００２３】
ここで、ケース１１−１とケース１１−２は、テストスプリング（ＴＳ）バネ１２と、ＴＳベース１３と、ＴＳ基板１４と、Ｕスリット端子１５とを保護するためのものであり、図１の矢印方向に移動することで、テストスプリング（ＴＳ）バネ１２と、ＴＳベース１３と、ＴＳ基板１４と、Ｕスリット端子１５を、ケース１１内に格納する。
【００２４】
また、ＴＳバネ１２は、２つのバネが接点を有して接触している。そして、図１に示すＴＳバネ１２の先端の開口部から遠隔操作用プラグやテストプラグ等のプラグ類、又は断線ペグ等のペグ類を挿入することにより、接点を開いて通信回線の切り離し試験を行う。また、図１に示すＴＳバネ１２−１〜１２−４の各々は、Ｕスリット端子１５−１〜１５−４と対応付けて電気的に接続される。また、ＴＳバネ１２とＵスリット端子１５との接続は、ＴＳ基板１４を介して行われており、ＴＳ基板１４により弾器装置に送られる電気的な遠隔操作用の制御信号に基づいて切り替えを実現することができる。
【００２５】
ここで、ＴＳ基板１４−１は、ＴＳバネ１２−１，１２−２とＵスリット端子１５−１，１５−２の電気的な接触／非接触の制御を行い、ＴＳ基板１４−１とＴＳバネ１２−１，１２−２とは、ＴＳベース１３により設置される。なお、ＴＳベース１３とＴＳ基板１４−１とは着脱可能である。更に、ＴＳ基板１４−２は、ＴＳバネ１２−３、１２−４とＵスリット端子１５−３，１５−４の電気的な接触／非接触の制御を行い、ＴＳ基板１４−２とＴＳバネ１２−３，１２−４とは、ＴＳベース１３により設置される。なお、ＴＳベース１３とＴＳ基板１４−２とは着脱可能である。
【００２６】
更に、ケース１１−１には、挿入口２１と、嵌合開口部２２とを有するよう構成されている。また、ケース１１−２には、支持部２３と、嵌合突起部２４と、基板用凹部２５と、回線接続用凹部２６とを有するよう構成されている。
【００２７】
挿入口２１は、遠隔操作用プラグ、テストプラグ、又は断線ペグを挿入するための口であり、挿入口２１の内部に対応付けて設置されているＴＳバネ１２部の開口部にペグを容易に挿入することができ、また挿入口２１により挿入するペグが固定される。なお、挿入口２１−１には、ＴＳバネ１２−１，１２−２が対応し、挿入口２１−２には、ＴＳバネ１２−３，１２−４が対応するよう挿入口が形成される。
【００２８】
また、嵌合開口部２２は、後述するケース１１−２の嵌合突起部２４とにおいて、ケース１１−１とケース１１−２を固定して結合するためのものである。具体的には、嵌合開口部２２−１に嵌合突起部２４−１を、嵌合開口部２２−２に嵌合突起部２４−２を各々嵌合する。更に、ケース１１−２において、支持部２３は、ケース１１−１を支持するものであり、図示していないがケース１１−１の内部に設けられた突起部を支持する。これにより、ケース１１−１とケース１１−２が固定する。
【００２９】
更に、ケース１１−２において、基板用凹部２５は、ＴＳ基板１４を嵌め込みケース１１に固定するための凹部である。具体的には、基板用凹部２５−１，２５−２がＴＳ基板１４−１を固定し、基板用凹部２５−３，２５−４がＴＳ基板１４−２を固定する。また、回線接続用凹部２６は、ケース１１内部に格納されたＵスリット端子１５の結線部分を回線接続用凹部２６から出して回線の接続を容易にするためのものである。具体的には、回線接続用凹部２６−１からＵスリット端子１５−１の結線部分（刃先）が出て、回線接続用凹部２６−２からＵスリット端子１５−２の結線部分が出るように固定される。
【００３０】
ここで、上述した構成によりＴＳバネ１２、Ｕスリット端子１５等がケース１１に格納された状態の弾器装置１０の例を図２に示す。ここで、図２（ａ）は、図１におけるＸ方向から見た図を示し、図２（ｂ）は、図１におけるＹ方向から見た図を示している。図１に示す構成を有することにより、ＴＳバネ１２と、ＴＳベース１３と、ＴＳ基板１４と、Ｕスリット端子１５とをケース１１内に入れ格納することができる。
【００３１】
なお、図２においては、ＴＳバネ１２と、Ｕスリット端子１５との向きが、垂直に設置されているが、本発明においてはこの限りではなく、例えば、同方向を向いて固定されていいてもよい。
【００３２】
＜接続方法＞
次に、上述した本発明における弾器装置を端子板又は保安機能を有した端子板に接続する際の接続方法について図３、図４を用いて説明する。なお、以下に説明する弾器装置の接続方法については、保安器サブモジュールに取り付ける例について説明するが、交換機サブモジュールについても同様の手順を用いる。
【００３３】
図３は、本発明における回線（ケーブル）と保安器との接続の様子の一例を示す図である。なお、保安器サブモジュール３０は、特許文献１にて説明されているものと同様の保安器サブモジュール３０の構成を有している。ここで、概要を説明する。図３に示す保安器サブモジュール３０は、Ｕスリットハウジング（端子用ハウジング）３１と、通線口３２と、プリント配線板３３と、保安素子３４と、コネクタ結合部３５とを有するよう構成されている。
【００３４】
ここで、保安器サブモジュール３０は、２つのプリント配線板３３が重ね合わせて外枠のフレーム及びＵスリットハウジング３１によりに固定されている。この固定された２つのプリント配線板３３の上下対になる各々のＵスリット部分に回線を通すために通線口３２が形成される。１つのプリント配線板３３には、１６回線の回線数が収容できるようにＵスリットハウジング３１にＵスリット端子が並列に１６個形成されているため、通線口３２の口数も１６となる。
【００３５】
なお、Ｕスリット端子は、スリットが２つの所謂ダブルスリット形式としてもよく、またスリットが単一のシングルスリットとしてもよい。保安素子３４は、回線がサージ電圧等により絶縁破壊されるのを防止するためのものであり、Ｕスリット端子の隣接箇所にプリント配線板３３へ半田付けされている。また、保安素子３４は、双方向性ｐｎｐｎサージ防護デバイス、アバランシェダイオード、酸化亜鉛バリスタ等の半導体保安素子あるいは薄形、小形のガス入り避雷管を用いてもよい。また、これらを組合せた多段防護回路を構成してもよい。
【００３６】
Ｕスリット端子に接続される回線３５は、保安素子３４、及びプリント配線板３３上に形成される配線ルートを通り、コネクタ結合部３５と導通することになる。コネクタ結合部３５は、交換局内からのケーブル付コネクタ３６と結合する。
【００３７】
２枚のプリント配線板３３を外枠のフレーム及びＵスリットハウジング３１により囲む形で組立て、１６回線単位の保安器サブモジュール３０が形成される。
【００３８】
ここで、保安器サブモジュール３０は、弾器機能を具備していない。そのため、保安器サブモジュールに弾器機能を付加させるべく、本発明における弾器装置を接続する。
【００３９】
まず、Ｕスリット端子に接続するために、所望する接続先のＵスリット端子に回線を通すために形成された通線口に回線３５−１，３５−２を挿入する。ここで、回線を２つ（３５−１，３５−２）用いているのは、その１つをＩＳＤＮ回線（回線３５−１）、もう一方をＡＤＳＬ回線（回線３５−２）として、回線の切り替えを行うための作業手順を説明するためである。
【００４０】
次に、Ｕスリット端子付近まで到達した回線３５は、Ｕスリットハウジング３１側に引き伸ばし、引き伸ばして形成された回線３５に余長部分を持たせてＵスリット端子と結線を行う。
【００４１】
次に、上述した弾器装置１０と回線３５とを結線する。図４は、弾器装置と回線との結線の様子を説明するための図である。図４に示すように、弾器装置１０に形成されている回線接続用凹部２６には、Ｕスリット端子１５が設けられているため、結線工具を使用せず容易に回線３５を結線することができる。
【００４２】
また、結線方法は、回線３５−１を切断し、その一方をＵスリット端子１５−１と結線し、もう一方をＵスリット端子１５−３と結線する。更に、回線３５−２を切断し、その一方をＵスリット端子１５−２と結線し、もう一方をＵスリット端子１５−４と結線する。これにより、弾器装置１０を介して電気的に接続されることになる。
【００４３】
この状態で、挿入口２１から、遠隔にて回線の切り替え操作を行うための遠隔操作用プラグ４１や、断線ペグ４２等を挿入する。断線ペグ４２を挿入することにより、ＴＳバネ１２の接点を離し、電気的な非導通状態を容易に形成することができる。これにより、弾器機能を有していない保安器サブモジュール上で回線の切り替えに伴う弾器試験を容易に行うことができる。また、挿入口２１に挿入する弾器の構成要素はこの限りではなく、挿入口に先端部を挿入して、ＴＳバネの接点を開くことが可能な他の弾器試験用のテストプラグであってもよい。
【００４４】
更に、遠隔操作用プラグ４１を挿入することにより、遠隔操作用プラグ４１と通信ネットワーク等で接続される制御装置からの制御信号により、遠隔操作用プラグ４１を差し込んだ状態のままで、回線の電気的な導通／非導通を制御することができる。これにより、例えば、制御装置を保安器サブモジュールから遠隔地に設置することで、弾器試験の遠隔操作（リモートコントロール）を実現することができる。
【００４５】
これにより、予め作業員が本発明における弾器装置を、弾器試験を実施したい回線に対して結線し遠隔操作用プラグ４１を差し込んでおくことにより、試験当日にわざわざ保安器の設置位置まで赴くことがなく、制御装置からの遠隔操作で弾器試験を行うことができる。また、弾器試験終了後は、弾器装置を急いで取り外す必要もなく、後日他の作業のついでに取り外しを行えばよい。そのため、取り付け工事の簡略化を図ることができ、作業効率を向上させることができる。
【００４６】
このため、人件費を抑えることができコストを削減することができる。更に、本発明における弾器装置は使い回しができ、更に、１回線単位で弾器機能を付与することができるため、必要最小限の回線に対して弾器装置を接続することができる。このため、部品の共有化等による装置コストを削減することができる。
【００４７】
また、遠隔操作においては、１つの制御装置で複数の弾器装置を一括して管理することにより、保安器サブモジュールに接続されている回線の接続状態を容易に管理することができる。更に、本発明における弾器装置を有することにより、保安器サブモジュールにおける弾器機能の有無に関わらず、使用することができ、部品の共用化、コストダウン、取り付け工事の簡略化を図ることができる。
【００４８】
ここで、上述では、保安器サブモジュールを用いて説明したが、実際の実施の形態では、端子板又は保安機能を有した端子板に適用されることになる。図５は、本発明における弾器装置を保安器に適用した一例を示す図である。図５では、通信機器用保安器５０の組立て斜視図をしめしており、この保安器５０には、図３〜図４に示した保安器サブモジュール３０が１２個段積みにされて外枠のフレームにより組立てられている。
【００４９】
具体的には、保安器サブモジュール３０は、取り付け架台５１に段積みされ、ネジ５２により固定される。そして、この取り付け架台５１には、フロントストッパ５３と、整線板５４と、インデックスホルダ５５とが取り付けられており、１９２回線収容の通信機器用保安器５０が形成されている。このように組立てられた保安器５０は、室内に設置された主架台（ＭＤＦ：Ｍａｉｎ  Ｄｉｓｔｒｉｂｕｔｉｏｎ  Ｆｒａｍｅ）にＭＤＦ取り付ネジ５６により設置され使用される。
【００５０】
図５に示すような保安器において、図３、図４を用いて説明した接続方法を用いて弾器装置を接続することにより、保安器サブモジュールにおける弾器機能の有無に関わらず、使用することができ、弾器機能の要、不要に柔軟に対応でき、部品の共用化、コストダウン、取り付け工事の簡略化を図ることができる。
【００５１】
上述したように、本発明によれば、低コストで作業効率を向上させるための弾器装置及びその接続方法を提供することができる。具体的には、端子板又は保安機能を有した端子板に対する弾器の有無に関わらずに、必要な回線に弾器機能を付加することができ、弾器機能の要、不要に柔軟に対応でき、部品の共用化、コストダウン、取り付け工事の簡略化を図ることができる。また、弾器機能は、１回線単位であるため、必要な回線のみに適用可能であり、必要に応じて最小限の複数の弾器装置に対応づけて使用することで装置コストを削減することができる。
【００５２】
なお、上述した接続方法において、ケーブルに接続するための端子がＵスリット端子である場合について説明したが、本発明における接続方法においてはこの限りではなく、例えば、ハンダ付けによりケーブルと接続するための端子やピン状の端子にケーブルを巻き付けて接続するラッピング端子等の端子であっても上述の接続方法を適用することができる。
【００５３】
以上、本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００５４】
【図１】本発明における弾器装置の一構成例を示す図である。
【図２】ＴＳバネ、Ｕスリット端子等がケースに格納された弾器装置の例を示す図である。
【図３】本発明における回線（ケーブル）と保安器との接続の様子の一例を示す図である。
【図４】弾器装置と回線との結線の様子を説明するための図である。
【図５】本発明における弾器装置を保安器に適用した一例を示す図である。
【符号の説明】
【００５５】
１０  弾器装置
１１  ケース
１２  テストスプリング（ＴＳ）バネ
１３  ＴＳベース
１４  ＴＳ基板
１５  Ｕスリット端子
２１  挿入口
２２  嵌合開口部
２３  支持部
２４  嵌合突起部
２５  基板用凹部
２６  回線接続用凹部
３０  保安器サブモジュール
３１  Ｕスリットハウジング
３２  通線口
３３  プリント配線板
３４  保安素子
３５  コネクタ結合部
３６  ケーブル付コネクタ
４１  遠隔操作用プラグ
４２  断線ペグ
５０  保安器
５１  取り付け架台
５２  ネジ
５３  フロントストッパ
５４  整線板
５５  インデックスホルダ
５６  ＭＤＦ取り付ネジ
【図１】
2005136638.tif 000003
【図２】
2005136638.tif 000004
【図３】
2005136638.tif 000005
【図４】
2005136638.tif 000006
【図５】
2005136638.tif 000007